(57)【要約】【課題】一対のかしめ片で被覆を圧着した際に、両かしめ片の先端部同士を突き合てた状態に保持する。【解決手段】本発明は、芯線４２が被覆４３で覆われてなる被覆電線４０における被覆４３を圧着するための一対のかしめ片３２Ａを備えた端子金具であって、一方のかしめ片の先端部３３に、係止突部３３Ａが突出して設けられ、他方のかしめ片の先端部３４に、圧着に伴って係止突部３３Ａと係止することにより両かしめ片の先端部３３，３４同士を突き当てた状態に保持する係止凹部３４Ａが設けられている構成としたところに特徴を有する。【選択図】図２
2010049984.tif 000002
【特許請求の範囲】
【請求項１】
芯線が被覆で覆われてなる被覆電線における前記被覆を圧着するための一対のかしめ片を備えた端子金具であって、
一方の前記かしめ片の先端部に、係止突部が突出して設けられ、他方の前記かしめ片の先端部に、圧着に伴って前記係止突部と係止することにより前記両かしめ片の先端部同士を突き当てた状態に保持する係止凹部が設けられていることを特徴とする端子金具。
【請求項２】
前記係止凹部は、前記他方のかしめ片の先端部に開口するあり溝状に形成され、前記係止突部は、前記係止凹部に対して前記かしめ片の板厚方向に嵌合する請求項１に記載の端子金具。
【請求項３】
前記係止突部はフック状をなし、前記係止凹部に対して前記かしめ片の板厚方向に嵌合する請求項１に記載の端子金具。
【請求項４】
前記係止凹部の開口縁には、同係止凹部の内部から外部に向けて間口が広くなるテーパ状の案内面が形成されている請求項１ないし請求項３のいずれか一項に記載の端子金具。
【請求項５】
芯線が被覆で覆われてなる電線における前記被覆の端末に、請求項１ないし請求項４のいずれか一項に記載の端子金具が圧着されている端子金具付き電線。
【請求項６】
前記芯線は、アルミニウムまたはアルミニウム合金からなることを特徴とする請求項５に記載の端子金具付き電線。
【発明の詳細な説明】
【技術分野】
【０００１】
本発明は、芯線が被覆で覆われてなる被覆電線における被覆を圧着するための一対のかしめ片を備えた端子金具および端子金具付き電線に関する。
【背景技術】
【０００２】
従来、この種の端子金具として、下記特許文献１ないし３に記載の端子金具が知られている。
【０００３】
下記特許文献１に記載の端子金具は、一対のかしめ片の先端部同士をオーバーラップさせて被覆を圧着する構成である。このような構成によると、被覆を強固に圧着できるものの、両かしめ片のうち被覆側のかしめ片が被覆に深く食い込むため、被覆の外周面が傷付きやすくなる。なお、ゴム栓を介して被覆を圧着する場合には、ゴム栓の外周面が傷付きやすくなる。
【０００４】
また、下記特許文献２に記載の端子金具は、一対のかしめ片を前後方向（被覆電線の長さ方向）に位置ずれさせて被覆を圧着する構成である。このような構成によると、両かしめ片により被覆の外周面が傷付くことはないものの、端子金具全体が前後方向に長くなってしまう。
【０００５】
その点、下記特許文献３に記載の端子金具は、両かしめ片の先端部同士を突き合てた状態で被覆を圧着する構成である。このような構成によると、被覆の外周面が傷付くことがなく、端子金具全体が前後方向に長くなることもない。
【特許文献１】実開平７−８９７０号公報（図１参照）
【特許文献２】特開２００２−１９０３４７公報（図１参照）
【特許文献３】特開平８−２２２３１７号公報（図１参照）
【発明の開示】
【発明が解決しようとする課題】
【０００６】
しかしながら、上記特許文献３に記載の端子金具では、例えば両かしめ片の後方に延出された被覆電線が振られるなどして、両かしめ片の先端部が互いに離間するおそれがある。これでは、両かしめ片による固着力が低下してしまう。
【０００７】
本発明は上記のような事情に基づいて完成されたものであって、一対のかしめ片で被覆を圧着した際に、両かしめ片の先端部同士を突き合てた状態に保持することを目的とする。
【課題を解決するための手段】
【０００８】
本発明は、芯線が被覆で覆われてなる被覆電線における被覆を圧着するための一対のかしめ片を備えた端子金具であって、一方のかしめ片の先端部に、係止突部が突出して設けられ、他方のかしめ片の先端部に、圧着に伴って係止突部と係止することにより両かしめ片の先端部同士を突き当てた状態に保持する係止凹部が設けられている構成としたところに特徴を有する。
【０００９】
このような構成によると、両かしめ片をかしめることにより被覆が圧着される。この際、一方のかしめ片の先端部に設けた係止突部が、他方のかしめ片の先端部に設けた係止凹部に係止することにより、両かしめ片の先端部同士を突き合てた状態に保持することができる。
【００１０】
本発明の実施の態様として、以下の構成が好ましい。
係止凹部は、他方のかしめ片の先端部に開口するあり溝状に形成され、係止突部は、係止凹部に対してかしめ片の板厚方向に嵌合する構成としてもよい。
また、係止突部はフック状をなし、係止凹部に対してかしめ片の板厚方向に嵌合する構成としてもよい。
【００１１】
これらの構成によると、圧着に伴って係止突部と係止凹部とをかしめ片の板厚方向に嵌合し、両かしめ片の先端部同士を突き合てた状態に保持することができる。
【００１２】
係止凹部の開口縁には、同係止凹部の内部から外部に向けて間口が広くなるテーパ状の案内面が形成されている構成としてもよい。
このような構成によると、他方のかしめ片をかしめた後、一方のかしめ片をかしめることにより、係止突部をテーパ状の案内面によって係止凹部の内部に案内することができる。
【００１３】
また、本発明は、芯線が被覆で覆われてなる電線における被覆の端末に、上記いずれかの端子金具が圧着されている端子金具付き電線としてもよい。
その際、芯線は、アルミニウムまたはアルミニウム合金からなる構成としてもよい。
【発明の効果】
【００１４】
本発明によれば、一対のかしめ片で被覆を圧着した際に、両かしめ片の先端部同士を突き当てた状態に保持することができる。
【発明を実施するための最良の形態】
【００１５】
＜実施形態１＞
本発明の実施形態１を図１ないし図６の図面を参照しながら説明する。本実施形態における端子金具１０は、図１に示すように、角筒形状をなす本体部２０と、本体部２０の後方に形成された圧着部３０とを備えている。なお、本実施形態では圧着部３０が被覆電線４０の端末を圧着しているものの、圧着部３０がゴム栓（図示せず）とともに被覆電線４０の端末を圧着する構成としてもよい。また、本実施形態では端子金具１０として本体部２０を有する雌端子金具を例示しているものの、本発明によると、タブ状をなす雄端子金具としてもよい。
【００１６】
被覆電線４０はアルミ電線であって、複数本の金属素線４１からなる芯線４２を絶縁性の合成樹脂からなる被覆４３で覆った構成である。本実施形態の被覆電線４０は、１１本の金属素線４１を束ねたものであり、これらの金属素線４１を束ねた総断面積は０．７５ｍｍ２である。金属素線４１は、銅、銅合金、アルミニウム、またはアルミニウム合金など任意の金属を用いることができる。なお、本実施形態の金属素線４１は、アルミニウム合金によって構成されている。
【００１７】
本体部２０の内部には、弾性変位可能な弾性接触片２１が本体部２０の底面部２２の前縁からの折り返しによって形成されている。本体部２０の内部において弾性接触片２１と対向する対向面と弾性接触片２１との間には、タブ状をなす相手側導体（図示せず）が挿入可能となっている。
【００１８】
自然状態にある弾性接触片２１と対向面との距離は、相手側導体の板厚よりも小さめとされている。このため、相手側導体が弾性接触片２１を撓ませつつ対向面との間に挿入されると、相手側導体と弾性接触片２１とが弾性的に接触し電気的に接続される。
【００１９】
圧着部３０は、略Ｕ字状をなすワイヤバレル部３１と、ワイヤバレル部３１の後方に配置された略Ｕ字状をなすインシュレーションバレル部３２とを備えている。ワイヤバレル部３１とインシュレーションバレル部３２は、本体部２０の底面部２２と連続して前後方向（被覆電線４０の長さ方向）に延びる底壁３０Ａを有し、それぞれ底壁３０Ａの両側縁から対向状態で立ち上がる一対のかしめ片３１Ａ，３２Ａを備えて構成されている。
【００２０】
ワイヤバレル部３１は、図１に示すように、両かしめ片３１Ａによって芯線４２の端末をかしめることにより芯線４２を圧着可能である。これにより、芯線４２とワイヤバレル部３１が電気的に接続される。
【００２１】
インシュレーションバレル部３２は、底壁３０Ａ上に被覆４３の端末を前後方向に配置し、両かしめ片３２Ａをかしめることによって被覆４３の端末を圧着可能である。なお、図示はしないものの、ゴム栓を装着する場合には、被覆４３の外周にゴム栓を嵌着し、このゴム栓とともに被覆４３の端末を圧着する。このゴム栓は、コネクタのキャビティ内に後方から水が浸入することを規制する防水用のゴム栓である。
【００２２】
図２は、両かしめ片３２Ａを斜め後方から見た斜視図であり、底壁３０Ａは被覆４３の外周下面に沿う形態とされている。一方のかしめ片（図２における図示右下のかしめ）の先端部３３には、係止突部３３Ａが突出して設けられている。また、他方のかしめ片（図２における図示左上のかしめ片）の先端部３４には、係止突部３３Ａがかしめ片３２Ａの板厚方向に嵌合可能な係止凹部３４Ａが凹設されている。
【００２３】
係止凹部３４Ａは、図３に示すように、他方のかしめ片の先端部３４に開口するあり溝状に形成されている。係止凹部３４Ａは、詳細には、前後方向に延びる突き当て面３４Ａ１と、この突き当て面３４Ａ１の前後両側縁から他方のかしめ片の先端部３４に連なる一対の係止面３４Ａ２とから構成されている。両係止面３４Ａ２間の距離は、他方のかしめ片の先端部３４側に近づくにつれて小さくなっている。
【００２４】
一方、係止突部３３Ａは、図４に示すように、係止凹部３４Ａに対してかしめ片３２Ａの板厚方向に嵌合する形状をなしている。係止突部３３Ａは、詳細には、突き当て面３４Ａ１に突き当て可能な被突き当て面３３Ａ１と、この被突き当て面３３Ａ１の前後両側縁から一方のかしめ片の先端部３３に連なる一対の被係止面３３Ａ２とから構成されている。両被係止面３３Ａ２間の距離は、一方のかしめ片の先端部３３側に近づくにつれて小さくなっている。
【００２５】
係止突部３３Ａが係止凹部３４Ａに嵌合した状態では、突き当て面３４Ａ１と被突き当て面３３Ａ１とが突き当たり、両係止面３４Ａ２が両被係止面３３Ａ２とが係止する。このため、一方のかしめ片の先端部３３と他方のかしめ片の先端部３４を左右方向（前後方向およびかしめ片３２Ａの板厚方向の双方に交差する方向）に離間させようとしても、両係止面３４Ａ２と両被係止面３３Ａ２が係止することにより、係止突部３３Ａと係止凹部３４Ａとが嵌合状態に保持される。
【００２６】
また、展開状態における一方のかしめ片の先端部３３と他方のかしめ片の先端部３４との間の長さは、被覆４３の外周よりやや短めとされている。このため、係止突部３３Ａを係止凹部３４Ａに嵌合させると、両係止面３４Ａ２が両被係止面３３Ａ２に係止することにより両かしめ片の先端部３３，３４同士を突き当てた状態に保持することができ、被覆４３を両かしめ片３２Ａによって圧着することができる。
【００２７】
また、係止凹部３４Ａの開口縁には、同係止凹部３４Ａの内部から外部に向けて（かしめ片３２Ａの裏面側から表面側に向けて）間口が広くなるテーパ状の案内面３５が形成されている。この案内面３５は、係止突部３３Ａを係止凹部３４Ａに嵌合する際に、係止突部３３Ａを係止凹部３４Ａの内部に案内可能である。なお、本実施形態では係止凹部３４Ａの開口縁のみに案内面３５を設けているものの、本発明によると、係止凹部３４Ａの案内面３５と接触する係止突部３３Ａの周縁部にもテーパ状をなす案内面を設けてもよい。
【００２８】
本実施形態は以上のような構成であって、続いてその作用を説明する。まず、被覆電線４０の端末において被覆４３を皮剥ぎし、芯線４２を露出させる。次に、芯線４２の端末をワイヤバレル部３１上に前後方向に配置し、図５に示すように、被覆４３の端末をインシュレーションバレル部３２上に配置する。そして、ワイヤバレル部３１のかしめ片３１Ａをかしめることにより、芯線４２が両かしめ片３１Ａと底壁３０Ａとによって圧着される。
【００２９】
次に、図６に示すように、インシュレーションバレル部３２の一方のかしめ片３２Ａをかしめた後、図７に示すように、他方のかしめ片３２Ａをかしめることにより、図４に示すように、係止突部３３Ａが係止凹部３４Ａに対してかしめ片３２Ａの板厚方向に嵌合し、端子金具付き電線が完成する。この状態では、両係止面３４Ａ２が両被係止面３３Ａ２に係止することにより、一方のかしめ片の先端部３３と他方のかしめ片の先端部３４を突き当てた状態に保持することができ、被覆４３を両かしめ片３２Ａによって圧着することができる。
【００３０】
以上のように本実施形態では、両かしめ片３２Ａの圧着に伴って係止突部３３Ａが係止凹部３４Ａに嵌合し、両係止面３４Ａ２が両被係止面３３Ａ２に係止するようにしたから、一方のかしめ片の先端部３３と他方のかしめ片の先端部３４を突き当てた状態に保持することができる。また、係止突部３３Ａが案内面３５によって係止凹部３４Ａの内部に案内されるから、係止突部３３Ａと係止凹部３４Ａの嵌合動作を円滑に行うことができる。
【００３１】
＜実施形態２＞
次に、本発明の実施形態２を図８および図９の図面を参照しながら説明する。本実施形態のインシュレーションバレル部３２は、実施形態１における係止突部３３Ａおよび係止凹部３４Ａの構造を一部変更したものである。その他の共通する構成、作用、および効果については実施形態１と重複するため、その説明を省略する。
【００３２】
本実施形態の係止突部３３Ｂは、図８に示すように、フック状をなし、一方のかしめ片の先端部３３から突出して設けられている。また、係止突部３３Ｂは、係止凹部３４Ｂに対してかしめ片３２Ａの板厚方向に嵌合する。係止突部３３Ｂは、詳細には、一方のかしめ片の先端部３３から左右方向に突出する突出部３３Ｂ１と、この突出部３３Ｂ１の突出端部から前後方向に延びる引掛け部３３Ｂ２とから構成されている。
【００３３】
一方、係止凹部３４Ｂは、図９に示すように、他方のかしめ片の先端部３４において係止突部３３Ｂが嵌合可能に凹設されている。係止凹部３４Ｂは、詳細には、他方のかしめ片の先端部３４に開口するとともに突出部３３Ｂ１を収容可能な収容部３４Ｂ１と、引掛け部３３Ｂ２と左右方向に係止する引掛け凹部３４Ｂ２とから構成されている。このため、係止突部３３Ｂを係止凹部３４Ｂに嵌合させると、引掛け部３３Ｂ２が引掛け凹部３４Ｂ２に係止することにより、一方のかしめ片の先端部３３と他方のかしめ片の先端部３４とを突き当てた状態に保持できる。
【００３４】
＜他の実施形態＞
本発明は上記記述及び図面によって説明した実施形態に限定されるものではなく、例えば次のような実施形態も本発明の技術的範囲に含まれる。
（１）本実施形態では係止凹部として他方のかしめ片の先端部３４に開口する形態を例示しているものの、本発明によると、係止凹部として他方のかしめ片の先端部３４において板厚方向に貫通する孔を設け、この孔に係止突部を差し込む構成としてもよい。
【００３５】
（２）本実施形態では、既述したように、ゴム栓のない構成で被覆４３を圧着する端子金具を例示しているものの、本発明によると、ゴム栓とともに被覆４３を圧着する構成に適用してもよい。
【図面の簡単な説明】
【００３６】
【図１】実施形態１における端子金具の側面図
【図２】実施形態１においてインシュレーションバレル部を圧着する前の状態を示した斜視図
【図３】実施形態１において係止突部と係止凹部を左右に並べて配置した平面図
【図４】図３における係止突部と係止凹部を嵌合させた状態を示した平面図
【図５】実施形態１において被覆をインシュレーションバレル部上に配置した状態を示した断面図
【図６】図５における一方のかしめ片をかしめた状態を示した断面図
【図７】図６における他方のかしめ片をかしめた状態を示した断面図
【図８】実施形態２において係止突部と係止凹部を左右に並べて配置した平面図
【図９】図８における係止突部と係止凹部を嵌合させた状態を示した平面図
【符号の説明】
【００３７】
１０…端子金具
２０…本体部
３２Ａ…かしめ片
３３…一方のかしめ片の先端部
３３Ａ…係止突部
３３Ｂ…係止突部
３４…他方のかしめ片の先端部
３４Ａ…係止凹部
３４Ｂ…係止凹部
３５…案内面
４０…被覆電線
４２…芯線
４３…被覆
【図１】
2010049984.tif 000003
【図２】
2010049984.tif 000004
【図３】
2010049984.tif 000005
【図４】
2010049984.tif 000006
【図５】
2010049984.tif 000007
【図６】
2010049984.tif 000008
【図７】
2010049984.tif 000009
【図８】
2010049984.tif 000010
【図９】
2010049984.tif 000011